(57)【特許請求の範囲】
【請求項１】
分割浴槽を分割した状態で車中に積載して移送し、訪問入浴サービス提供時に前記分割浴槽を搬入または搬出する入浴車であって、
分割浴槽と、
入浴車の荷台に設置された一対のレール部と、
前記分割浴槽を着脱自在に支持し、前記一対のレール部に沿ってスライドする本体部と、当該本体部の搬出側の端部に設けられた一対の車輪とを有する台車と、
前記台車を前記入浴車に搬入した状態で、前記台車の前記一対のレール部に対する前後方向の位置決めを行う前後方向位置決め手段と、前記台車の前記レール部に対する左右方向の位置決めを行う左右方向位置決め手段と、前記台車の前記レール部に対する上下方向の位置決めを行う上下方向位置決め手段とで構成された台車位置決め手段とを有し、
前記一対のレール部は、それぞれ、前記台車の前記本体部がスライドするほぼ平行に配置された一対のスライド部と、当該一対のスライド部にそれぞれ立設されたガイド部とを有し、
前記台車の前記本体部は、前記一対のレール部の前記一対のスライド部に対応する一対の長辺部と、当該一対の長辺部の前後を連結する一対の連結部とを有し、各長辺部は、対応する各スライド部に当接するローラと、対応する各スライド部に立設された前記ガイド部をそれぞれ挿入する溝とを有し、
前記左右方向位置決め手段は、前記一対のレール部の前記ガイド部と、前記台車の各長辺部の前記溝とを有し、
前記ガイド部を前記溝に挿入した状態で、前記本体部を前記スライド部に対してスライドさせたときに、前記本体部のスライド方向とほぼ直交する方向への移動が防止されることを特徴とする入浴車。
【請求項２】
前記前後方向位置決め手段として、前記ガイド部は、それぞれ対応する位置に、上端側が開放するスリットを有し、かつ、前記台車の搬出側の連結部は、下方に突出して設けられ、前記スリットに挿入される板片を有し、
前記入浴車に前記台車を搬入した状態で、前記板片を前記スリットに挿入することにより、前記本体部のスライド方向への移動が防止される請求項１に記載の入浴車。
【請求項３】
前記上下方向位置決め手段として、前記入浴車に設けられた台車固定機構を有し、
前記台車の前記本体部は、前記入浴車に前記台車を搬入した状態で、前記台車固定機構によって前記レール部に固定されることにより、前記本体部の前記レール部に対する上下方向への移動が防止される請求項２に記載の入浴車。
【請求項４】
前記台車固定機構は、前記台車の前記本体部の搬出側の連結部から離間した第１の位置と、前記本体部の搬出側の連結部に係合する第２の位置とに変位可能に設けられた台車固定用部材を有する請求項３に記載の入浴車。
【請求項５】
前記本体部の搬出側の連結部は、前記入浴車に前記台車を搬入した状態で、前記台車固定用部材を前記第２の位置にロックするロック機構を有する請求項４に記載の入浴車。
【請求項６】
前記台車固定用部材は、前記第２の位置において、前記台車の前記本体部の搬出側の連結部端面に当接する第１の板状部と、前記第１の板状部に対して屈曲または湾曲するように設けられ、前記本体部の搬出側の連結部上面側に位置する第２の板状部とを有し、
前記ロック機構は、前記台車固定用部材が前記第２の位置にあるとき、前記第１の板状部の前記本体部の搬出側の連結部とは反対側に位置して、前記台車固定用部材の前記第２の位置から前記第１の位置への変位を阻止するロックバーを有する請求項５に記載の入浴車。
【請求項７】
前記第１の板状部は、上端に開放する切欠きを有し、
前記ロック機構の前記ロックバーは、基端部と先端部とを有する略Ｌ字状部材であり、その基端部を回転中心として回転可能に前記台車の前記本体部の前記搬出側の連結部端面に設けられており、
前記ロックバーは、その先端部を鉛直上方に向けた状態で、前記台車固定用部材を前記第１の位置から前記第２の位置に、前記第１の板状部の前記切欠きを介して回動可能にする請求項６に記載の入浴車。
【請求項８】
前記第２の板状部は、前記第１の板状部の前記切欠きの両側に、一対で設けられた一対の板片で構成されている請求項７に記載の入浴車。
【請求項９】
前記台車の前記本体部は、前記台車固定用部材を前記第１の位置に位置させ、前記入浴車から前記台車を搬出した際に、前記台車固定用部材の前記第２の板状部材と前記本体部の搬入側の連結部とが係止する請求項６ないし８のいずれかに記載の入浴車。
【請求項１０】
前記台車の前記本体部の搬入側には、取っ手が設けられている請求項９に記載の入浴車。
【請求項１１】
分割浴槽を分割した状態で入浴車に搬入または当該入浴車から搬出するのに用いられる台車であって、
前記分割浴槽を着脱自在に支持し、前記入浴車の車内に設置されたスライド手段に沿ってスライドする本体部と、
前記本体部の搬出側に設けられた一対の車輪とを有し、
前記本体部は、前記入浴車から前記台車を搬出して、前記本体部を地面に対してほぼ垂直に立てた状態で、前記台車の前記一対の車輪を前記地面から離間させることにより、前記分割浴槽とともに前記台車を支持して、前記台車が移動するのを防止する第１の移動防止機構を有しており、
前記分割浴槽を支持した状態の前記台車を前記入浴車から搬出し、前記台車を牽引することにより、前記分割浴槽ごと移動可能となっていることを特徴とする台車。
【請求項１２】
前記台車の前記本体部は、前記入浴車から前記台車を搬出して、前記本体部を地面に対してほぼ平行に寝かせた状態で、前記台車の前記一対の車輪を前記地面から離間させることにより、前記本体部とともに前記台車を支持して、前記台車が移動するのを防止する第２の移動防止機構を有する請求項１１に記載の台車。
【請求項１３】
前記分割浴槽を支持した状態の前記台車を前記入浴車から搬出する際に、前記台車の前記分割浴槽はカバーで覆われており、
前記カバーは、訪問入浴サービスに用いる備品を収納する収納部を有するとともに、前記分割浴槽の分割された各浴槽同士を前記台車に固定する浴槽固定手段を有している請求項１１または１２に記載の台車。
【発明の詳細な説明】
【技術分野】
【０００１】
本発明は、入浴車および台車に関し、具体的には、訪問入浴サービスの際に使用される入浴車、および前記入浴車に分割浴槽とともに搭載されており、前記サービスの際に分割浴槽を入浴車に搬入または入浴車から搬出するのに用いられる台車に関する。
【背景技術】
【０００２】
訪問入浴サービスは、在宅の身障者や寝たきり老人などの要介護者に対する介護サービスの一環として行われている。このような訪問入浴サービスでは、近年、自動車（入浴車）に搭載する浴槽を分割式のもの（分割浴槽）とすることにより、車載スペースの確保を図っている（例えば、特許文献１参照）。
【０００３】
訪問入浴サービスに従事する介護従事者は、要介護者の住居まで訪問して、入浴車から分割した状態で積載された分割浴槽を搬出し、複数人によって手作業で要介護者のいる住居内等に運び入れる（十分な搬入スペースがある場合には、屋外で分割浴槽を組み立てた状態で住居内に運び入れてもよい）。そして、分割浴槽を組み立て、浴槽内に湯をはり、要介護者に対する入浴が行われる。要介護者の入浴後、浴槽内の湯を抜き、分割浴槽を分割した後、分割した状態の分割浴槽は、介護従事者によって再び入浴車に搬入される。
【０００４】
浴槽として分割式のものを用いることによって、等身大の大きさの浴槽を運搬する場合に比べて、浴槽を入浴車から搬入出する際や、住居内等へと運び入れる際の運搬性は向上する。また、浴槽を移送するための入浴車として小型車を用いることができる。しかしながら、従来の等身大の浴槽、分割した状態の分割浴槽にかかわらず、浴槽の運搬は、複数人によって浴槽を持ち上げることにより行われており、依然として介護従事者の負担は大きい。また、浴槽を運搬するのに複数人の介護従事者が必要となるため、浴槽と浴槽以外の入浴サービス用の部品（例えば、浴槽にお湯を入れるためのホースや要介護者を浴槽に入浴させるための入浴タンカ等）を入浴車から住居内に全て運搬するのに、入浴車と住居内とを何度も往復する必要があり、極めて作業効率が悪い。
【先行技術文献】
【特許文献】
【０００５】
【特許文献１】実用新案登録第３１００４５３号
【発明の概要】
【発明が解決しようとする課題】
【０００６】
本発明は、上記従来の問題点を鑑みたものであり、その目的は、訪問入浴サービスにおいて、入浴車に搭載した浴槽の運搬性を向上するとともに、浴槽を運搬する際の介護従事者の労力の軽減を図るための手段を備えた入浴車を提供すること、また、かかる手段として、分割した状態の分割浴槽を入浴車に搬入または入浴車から搬出するのに用いられ、上記課題を達成することが可能な台車を提供することである。
【課題を解決するための手段】
【０００７】
このような目的は以下の（１）〜（１３）の本発明により達成される。
（１）  分割浴槽を分割した状態で車中に積載して移送し、訪問入浴サービス提供時に前記分割浴槽を搬入または搬出する入浴車であって、分割浴槽と、入浴車の荷台に設置された一対のレール部と、前記分割浴槽を着脱自在に支持し、前記一対のレール部に沿ってスライドする本体部と、当該本体部の搬出側の端部に設けられた一対の車輪とを有する台車と、前記台車を前記入浴車に搬入した状態で、前記台車の前記一対のレール部に対する前後方向の位置決めを行う前後方向位置決め手段と、前記台車の前記レール部に対する左右方向の位置決めを行う左右方向位置決め手段と、前記台車の前記レール部に対する上下方向の位置決めを行う上下方向位置決め手段とで構成された台車位置決め手段とを有し、前記一対のレール部は、それぞれ、前記台車の前記本体部がスライドするほぼ平行に配置された一対のスライド部と、当該一対のスライド部にそれぞれ立設されたガイド部とを有し、前記台車の前記本体部は、前記一対のレール部の前記一対のスライド部に対応する一対の長辺部と、当該一対の長辺部の前後を連結する一対の連結部とを有し、各長辺部は、対応する各スライド部に当接するローラと、対応する各スライド部に立設された前記ガイド部をそれぞれ挿入する溝とを有し、前記左右方向位置決め手段は、前記一対のレール部の前記ガイド部と、前記台車の各長辺部の前記溝とを有し、前記ガイド部を前記溝に挿入した状態で、前記本体部を前記スライド部に対してスライドさせたときに、前記本体部のスライド方向とほぼ直交する方向への移動が防止されることを特徴とする入浴車。
【００１２】
（２）前記前後方向位置決め手段として、前記ガイド部は、それぞれ対応する位置に、上端側が開放するスリットを有し、かつ、前記台車の搬出側の連結部は、下方に突出して設けられ、前記スリットに挿入される板片を有し、前記入浴車に前記台車を搬入した状態で、前記板片を前記スリットに挿入することにより、前記本体部のスライド方向への移動が防止される上記（１）に記載の入浴車。
【００１３】
（３）前記上下方向位置決め手段として、前記入浴車に設けられた台車固定機構を有し、
前記台車の前記本体部は、前記入浴車に前記台車を搬入した状態で、前記台車固定機構によって前記レール部に固定されることにより、前記本体部の前記レール部に対する上下方向への移動が防止される上記（２）に記載の入浴車。
【００１４】
（４）前記台車固定機構は、前記台車の前記本体部の搬出側の連結部から離間した第１の位置と、前記本体部の搬出側の連結部に係合する第２の位置とに変位可能に設けられた台車固定用部材を有する上記（３）に記載の入浴車。
【００１５】
（５）前記本体部の搬出側の連結部は、前記入浴車に前記台車を搬入した状態で、前記台車固定用部材を前記第２の位置にロックするロック機構を有する上記（４）に記載の入浴車。
【００１６】
（６）前記台車固定用部材は、前記第２の位置において、前記台車の前記本体部の搬出側の連結部端面に当接する第１の板状部と、前記第１の板状部に対して屈曲または湾曲するように設けられ、前記本体部の搬出側の連結部上面側に位置する第２の板状部とを有し、前記ロック機構は、前記台車固定用部材が前記第２の位置にあるとき、前記第１の板状部の前記本体部の搬出側の連結部とは反対側に位置して、前記台車固定用部材の前記第２の位置から前記第１の位置への変位を阻止するロックバーを有する上記（５）に記載の入浴車。
【００１７】
（７）前記第１の板状部は、上端に開放する切欠きを有し、前記ロック機構の前記ロックバーは、基端部と先端部とを有する略Ｌ字状部材であり、その基端部を回転中心として回転可能に前記台車の前記本体部の前記搬出側の連結部端面に設けられており、前記ロックバーは、その先端部を鉛直上方に向けた状態で、前記台車固定用部材を前記第１の位置から前記第２の位置に、前記第１の板状部の前記切欠きを介して回動可能にする上記（６）に記載の入浴車。
【００１８】
（８）前記第２の板状部は、前記第１の板状部の前記切欠きの両側に、一対で設けられた一対の板片で構成されている上記（７）に記載の入浴車。
【００１９】
（９）前記台車の前記本体部は、前記台車固定用部材を前記第１の位置に位置させ、前記入浴車から前記台車を搬出した際に、前記台車固定用部材の前記第２の板状部材と前記本体部の搬入側の連結部とが係止する上記（６）ないし（８）のいずれかに記載の入浴車。
【００２０】
（１０）前記台車の前記本体部の搬入側には、取っ手が設けられている上記（９）に記載の入浴車。
【００２１】
（１１）分割浴槽を分割した状態で入浴車に搬入または当該入浴車から搬出するのに用いられる台車であって、前記分割浴槽を着脱自在に支持し、前記入浴車の車内に設置されたスライド手段に沿ってスライドする本体部と、前記本体部の搬出側に設けられた一対の車輪とを有し、前記本体部は、前記入浴車から前記台車を搬出して、前記本体部を地面に対してほぼ垂直に立てた状態で、前記台車の前記一対の車輪を前記地面から離間させることにより、前記分割浴槽とともに前記台車を支持して、前記台車が移動するのを防止する第１の移動防止機構を有しており、前記分割浴槽を支持した状態の前記台車を前記入浴車から搬出し、前記台車を牽引することにより、前記分割浴槽ごと移動可能となっていることを特徴とする台車。
【００２３】
（１２）前記台車の前記本体部は、前記入浴車から前記台車を搬出して、前記本体部を地面に対してほぼ平行に寝かせた状態で、前記台車の前記一対の車輪を前記地面から離間させることにより、前記本体部とともに前記台車を支持して、前記台車が移動するのを防止する第２の移動防止機構を有する上記（１１）に記載の台車。
【００２４】
（１３）前記分割浴槽を支持した状態の前記台車を前記入浴車から搬出する際に、前記台車の前記分割浴槽はカバーで覆われており、前記カバーは、訪問入浴サービスに用いる備品を収納する収納部を有するとともに、前記分割浴槽の分割された各浴槽同士を前記台車に固定する浴槽固定手段を有している上記（１１）または（１２）のいずれかに記載の台車。
【図面の簡単な説明】
【００２５】
【図１】分割した状態の分割浴槽および折り畳んだ状態の入浴タンカを固定（支持）した台車を入浴車に搬入した状態で、入浴車を斜め後方から見た図（内部を透視して示す）である。
【図２】図１に示す分割した状態の分割浴槽と、折り畳んだ状態の入浴タンカとを固定するための台車の分解斜視図である。
【図３】図１に示す入浴車の荷台に設置された構造物の構成を示す斜視図である。
【図４】図２に示す台車の下面図である。
【図５】台車を入浴車に搬入した状態における台車とレール部との関係を説明するための部分断面図である。
【図６】台車を入浴車に搬入した状態で、上下方向位置決め手段によって台車が固定されていない状態を説明するための斜視図である。
【図７】台車を入浴車に搬入した状態で、上下方向位置決め手段によって台車が固定されている状態を説明するための斜視図である。
【図８】台車をレール部の後方にスライドさせて、台車を入浴車から搬出する状態を示す斜視図である。
【図９】図８の状態における分割した状態の分割浴槽および入浴タンカを固定した台車を、入浴車の斜め後方から見た図である。
【図１０】入浴車から分割浴槽および入浴タンカを固定した台車を搬出し、牽引する状態を説明するための図である。
【図１１】台車の車輪近傍の拡大断面図（車輪を透視して示す）である。
【発明を実施するための形態】
【００２６】
以下、本発明の台車および入浴車を添付図面に示す好適な実施形態に基づいて説明する。
【００２７】
本発明の入浴車は、分割浴槽を分割した状態で車中に搭載（積載）して移送するものであり、本発明の台車は、訪問入浴サービス提供時に、分割した状態の分割浴槽を入浴車に搬入または入浴車から搬出するのに用いられる。
【００２８】
図１は、分割した状態の分割浴槽および折り畳んだ状態の入浴タンカを固定（支持）した台車を入浴車に搬入した状態で、入浴車を斜め後方から見た図（内部を透視して示す）、図２は、図１に示す分割した状態の分割浴槽と、折り畳んだ状態の入浴タンカとを固定するための台車の分解斜視図、図３は、図１に示す入浴車の荷台に設置された構造物の構成を示す斜視図、図４は、図２に示す台車の下面図である。
【００２９】
図１に示す入浴車１００は、ハッチバック式の自動車であり、その内部に荷台（車載スペース）１０１を有する。この荷台１０１に、図１および図２に示すような分割した状態の分割浴槽５および折り畳んだ状態の入浴タンカ４を固定（支持）した台車３を収納（搬入）することができる。
【００３０】
分割浴槽５は、組み立てた状態で、その中に湯をはることにより、要介護者を入浴させるのに用いられる。この分割浴槽５は、図２に示すように、第１半割槽５１と第２半割槽５２とを有し、第１半割槽５１を第２半割槽５２に重ね合わせた状態で台車３に固定される。
【００３１】
このような分割浴槽５は、訪問先において、第１半割槽５１と第２半割槽５２とを、それぞれが有する当接面５１１、５２１同士を当接させ、第２半割槽５２の外部側面に設けられた連結機構５３によって連結される。これにより、分割浴槽５が組み立てられる。
【００３２】
また、第２半割槽５２には、分割浴槽５を組み立てた際に、分割浴槽５を支持する脚部５４（５４ａ、５４ｂ）が設けられている。このうち、第１の脚部５４ａは、第２半割槽５２底面の長手方向のほぼ中央部にＵ字状に設けられ、第２の脚部５４ｂは、第１の脚部５４ａよりも当接面５２１側に設けられている。また、第１半割槽５１にも、第２半割槽５２の第１の脚部５４ａと同様に、第１半割槽５１底面の長手方向のほぼ中央部にＵ字状の脚部が設けられている。組み立てられた分割浴槽５は、これらの脚部によって支持される。
【００３３】
入浴タンカ４は、要介護者を入浴させる際に用いられるものである。この入浴タンカ４は、タンカ本体部４１と、タンカ本体部４１の長手方向のほぼ中央部に設けられた折り畳み部４２とを有し、この折り畳み部４２において、タンカ本体部４１がほぼ半分の長さになるように折り畳むことができるようになっている。また、タンカ本体部４１には、その両端部に、それぞれ一対の取っ手４３が設けられている。
【００３４】
かかる構成の入浴タンカ４は、訪問先において、タンカ本体部４１を展開して、組み立てた浴槽５の上縁に載置し、図示しないネットを取り付ける。このネットの部分に要介護者を乗せた状態で、ネットを上下させることで要介護者を浴槽内に出し入れすることができる。
【００３５】
これらの分割浴槽５および入浴タンカ４を固定した台車３を、入浴車１００に搬入または入浴車１００から搬出する際には、荷台１０１に設置されたスライド手段に沿って台車３をスライドさせるようになっている。このようなスライド手段としては、例えば、１枚の板の両側を曲げてスライド部および一対のガイド部を形成し、この一対のガイド部に沿って台車３がスライド部をスライドするようにしてもよい。また、荷台１０１に複数本のローラで構成されるスライド部および各ローラの両端側に一対のガイド部を設け、そのローラ上（スライド部）を台車３がガイド部に沿ってスライドするようにしてもよい。このように、スライド手段は特に限定されないが、本実施形態では、スライド手段として、図１および図３に示す一対のレール部１を用いた場合について説明する。かかる構成とすることにより、介護従事者一人であっても、この作業を比較的容易かつ円滑に行うことができる。
【００３６】
なお、以下の説明では、台車３を入浴車１００に搬入する側、すなわち、入浴車１００の前方を「搬入側または前側」と言い、台車３を入浴車１００から搬出する側、すなわち、入浴車１００の後方を「搬出側または後側」と言う。
【００３７】
まず、台車３の構成を説明するのに先立って、入浴車１００側の構成について説明する。
【００３８】
入浴車１００の荷台１０１内には、図３に示す一対のレール部１、１と、一対のレール部１、１を荷台１０１の床面上に支持する支持体２と、入浴車１００（荷台１０１）に台車３を搬入した際に、台車３をレール部１に固定する台車固定機構２４（後述する）とを備える構造物が設置されている。この構造物は、荷台１０１の上面に設けられた固定具６により、入浴車１００の荷台１０１に固定されている。
【００３９】
支持体２は、例えば、溶接、ネジ止め等により、複数の金属製の棒材を組み立てなる枠体である。この支持体２上に、互いに対向してほぼ平行に配置された一対のレール部１、１が設けられている。各レール部１は、支持体２に対して、例えば、溶接、ネジ止め等により固定されている。
【００４０】
各レール部１は、図３に示すように、それぞれ、台車３の本体部３１（後述する）がスライドするスライド部１１と、スライド部１１の長手方向に沿って立設され、本体部３１をスライド部１１に対してスライドさせる際に、本体部３１をガイドするガイド部１２とを有する。
【００４１】
また、一対のスライド部１１、１１は、互いにほぼ平行となるように設けられており、各スライド部１１の上面には、台車３の本体部３１に設けられた後述するローラ３２が摺接かつ摺動する。
【００４２】
また、各ガイド部１２は、各スライド部１１の外側縁部に立設されており、台車３の本体部３１に設けられた後述する各溝３１３に挿入される。
【００４３】
各レール部１が有するスライド部１１およびガイド部１２は、一枚の金属製の帯材を短手方向の途中で折り曲げることにより、一体的に形成されている。
【００４４】
また、一対のレール部１、１は、それぞれ、入浴車１００の前側（搬入側）において、支持体２に支持されることにより、荷台１０１の床面の上面と所定の間隔をおいてほぼ平行となるように設けられている。一方、一対のレール部１、１は、入浴車１００の後側（搬出側）において、下方に向かって傾斜するように設けられている。このような構成により、台車３を入浴車１００内に搬入または入浴車１００内から搬出する際の作業性が向上するとともに、台車３を入浴車１００に搬入した際には、以下に説明する台車位置決め手段と相俟って、台車３の安定性が向上する。
【００４５】
このような一対のレール部１、１に沿って、台車３をスライドさせることにより、分割浴槽５および入浴タンカ４を入浴車１００に搬入または入浴車１００から搬出することができる。
【００４６】
次に、台車３の構成について説明する。
図２に示す台車３は、本体部３１と、本体部３１の下部に設けられた複数のローラ３２と、本体部３１の搬出側の端部に設けられた一対の車輪３３と、本体部３１の搬入側の端部に設けられた取っ手３４と、分割浴槽５を台車３に固定する固定手段３５とを有している。この台車３は、本体部３１と分割浴槽５との間に入浴タンカ４を保持できるようになっている。
【００４７】
本体部３１は、分割浴槽５を着脱自在に支持するとともに、一対のレール部１、１に沿ってスライドするように構成されている。
【００４８】
本体部３１は、レール部１の一対のスライド部１１、１１に対応する一対の長辺部３１１ａ、３１１ａと、一対の長辺部３１１ａ、３１１ａの前後を連結する連結部（短辺部）３１１ｂ、３１１ｂとを有し、外形が長方形状の枠部３１１で構成されている。また、本体部３１は、枠部３１１の２つの長辺部３１１ａ、３１１ａの途中を連結する補強部３１２を有しており、この補強部３１２が設けられることによって、枠部３１１が撓むのが防止されるとともに、本体部３１全体としての強度が向上する。
【００４９】
また、枠部３１１（本実施形態では、各長辺部３１１ａ）の下面には、その長手方向に沿って、一対の溝３１３、３１３が形成されている。各溝３１３に、対応する各レール部１の各ガイド部１２が挿入される。各ガイド部１２を各溝３１３に挿入した状態で、本体部３１（台車３）をスライド部１１（レール部１）に対してスライドさせたときに、本体部３１のスライド方向とほぼ直交する方向への移動が防止される。
【００５０】
各長辺部３１１ａは、幅広の金属製の帯材を、溝３１３を有する所定の形状となるように、短手方向の途中で複数回折り曲げることにより形成されている。搬出側の短辺部３１１ｂは、幅狭の金属製の帯材を、短手方向の途中でＬ字状となるように、折り曲げることにより形成されている。また、搬入側の短辺部３１１ｂおよび補強部３１２には、それぞれ、幅狭の金属製の帯材が用いられている。本体部３１は、これらの各帯材を、例えば、溶接、ネジ止め等により組み合わせることにより形成されている。
【００５１】
枠部３１１（本実施形態では、各長辺部３１１ａ）の下面には、図４に示すように、枠部３１１の長手方向に回転可能な複数のローラ３２が設けられている。本実施形態では、一対のローラ３２が４組、合計８個設けられている。このローラ３２は、本体部３１（台車３）をレール部１のスライド部１１に対してスライドさせる際に、各スライド部１１の上面に摺接してスライド部１１の上面上を摺動するようになっている。
【００５２】
これにより、台車３を入浴車１００内に搬入または入浴車１００から搬出する作業をより容易にかつ円滑に行うことができる。本実施形態では、かかる作業を、各ガイド部１２を各溝３１３に挿入した状態で行うことができる。この場合、本体部３１（台車３）をレール部１のスライド部１１に対してスライドさせる際に、台車３の本体部３１をレール部１の搬出方向から搬入方向に対してまっすぐにスライドさせることができるので、その作業効率がより向上する。
【００５３】
また、本体部３１の搬出側には、一対の車輪３３が設けられている。本実施形態では、各車輪３３は、本体部３１の各長辺部３１１ａの搬出側の端部側面に、回転可能に設けられている。かかる構成によれば、訪問先において、分割浴槽５および入浴タンカ４を固定した台車３を、入浴車１００から搬出すると、この車輪３３がまず地面に接触する。
【００５４】
そして、この状態で、台車３の搬入側の端部を把持して台車３を牽引することにより、台車に固定（支持）された分割浴槽５および入浴タンカ４ごと移動させることができる。
【００５５】
一方、本体部３１の搬入側の端部には、棒状の取っ手３４が固定（固着）されている。この取っ手３４を把持することにより、台車３を牽引して分割浴槽５および入浴タンカ４を移動させる作業を容易に行うことができる。
【００５６】
さらに、本体部３１には、図２に示すように、分割浴槽５を台車３に固定する固定手段３５が設けられている。この固定手段３５は、各長辺部３１１ａの補強部３１２との接合部付近に設けられた浴槽脚部用ストッパ３５１と、各長辺部３１１ａの搬出側端部に設けられたブロック状のストッパ３５２と、このストッパ３５２の近傍に設けられたベルト３５３とで構成されている。
【００５７】
図１、図２に示すように、分割した状態の分割浴槽５を、第２の脚部５４ｂ近傍にストッパ３５２が位置するように台車３上に載置し、浴槽脚部用ストッパ３５１で第１の脚部５４ａを挟持することにより、分割浴槽５が台車に対して仮固定される。さらに、ベルト３５３を分割浴槽５に掛けて締め付けることにより、分割浴槽５が台車３に固定される。
【００５８】
また、このとき、分割浴槽５と台車３との間に、入浴タンカ４を介在させることにより、入浴タンカ４も分割浴槽５とともに台車３に固定することができる。
【００５９】
以上説明したような入浴車１００は、さらに、荷台１０１に台車３を搬入した状態で、台車３のレール部１に対する位置決めを行う台車位置決め手段２０を有する。
【００６０】
以下、この台車位置決め手段２０について説明する。
台車位置決め手段２０は、台車３のレール部１に対する前後方向の位置決めを行う前後方向位置決め手段２１と、台車３のレール部１に対する左右方向の位置決めを行う左右方向位置決め手段２２と、台車３のレール部１に対する上下方向の位置決めを行う上下方向位置決め手段２３とを有する。
【００６１】
＜前後方向位置決め手段＞
まず、台車３のレール部１に対する前後方向の位置決めを行う前後方向位置決め手段２１について説明する。
【００６２】
図５は、台車を入浴車に搬入した状態における台車とレール部との関係を説明するための部分断面図である。
【００６３】
図５に示すように、各レール部１の各ガイド部１２には、それぞれ対応する位置に、上端側が開放するスリット１２１が設けられている。また、台車３の枠部３１１の搬出側の短辺部３１１ｂは、上述したように、幅狭の金属製の帯材が、短手方向の途中でＬ字状となるように折り曲げられており、その折り曲げられた部分が下方に突出する板片を形成している。この各ガイド部１２に設けられた各スリット１２１と、台車３の枠部３１１の搬出側の短辺部３１１ｂとで前後方向位置決め手段２１が構成されている。入浴車１００に台車３を搬入した状態で、枠部３１１の搬出側の短辺部３１１ｂの下方に突出する板片をスリット１２１に挿入することにより、台車３の本体部３１のスライド方向への移動が防止されるとともに、台車３のレール部１に対する前後方向の位置決めがなされる。
【００６４】
＜左右方向位置決め手段＞
次に、台車３のレール部１に対する左右方向の位置決めを行う左右方向位置決め手段２２について説明する。
【００６５】
上述した台車３の各長辺部３１１ａの下面に設けられた溝３１３と各レール部１の各ガイド部１２とで、左右方向位置決め手段２２が構成される。
【００６６】
上述したように、入浴車１００に台車３を搬入する際に、各レール部１の各ガイド部１２を台車３の各長辺部３１１ａに設けられた溝３１３に挿入した状態で、本体部３１（台車３）をスライド部１１（レール部１）に対してスライドさせたときに、本体部３１のスライド方向とほぼ直交する方向への移動が防止される。これにより、台車３のレール部１に対する左右方向の位置決めがなされる。
【００６７】
＜上下方向位置決め手段＞
次に、台車３のレール部１に対する上下方向の位置決めを行う上下方向位置決め手段２３について説明する。
【００６８】
図６は、台車を入浴車に搬入した状態で、上下方向位置決め手段によって台車が固定されていない状態を説明するための斜視図、図７は、台車を入浴車に搬入した状態で、上下方向位置決め手段によって台車が固定されている状態を説明するための斜視図である。
【００６９】
このような上下方向位置決め手段２３は、入浴車１００の荷台１０１に設けられ、入浴車１００に台車３を搬入した状態で、台車３をレール部１に固定する台車固定機構２４と、台車３の本体部３１の搬出側の短辺部３１１ｂに設けられ、台車固定機構２４によってレール部１に台車３が固定された状態を保持するロック機構２５とから構成されている。以下に台車固定機構２４およびロック機構２５について説明する。
【００７０】
まず、台車固定機構２４について説明する。
図３に示すように、台車固定機構２４は、荷台１０１の床面に設けられた固定具６の搬出側の端部に設けられた蝶番（ヒンジ部）７と連結され、蝶番７を回動中心として固定具６（入浴車１００）に対して回動可能な台車固定用部材２４１で構成されている。
【００７１】
台車固定用部材２４１は、台車３を入浴車１００に搬入した状態において、図６に示すような台車３の本体部３１の搬出側の短辺部３１１ｂから離間した第１の位置と、図７に示すような本体部３１の搬出側の短辺部３１１ｂに係合する第２の位置とに変位する。いいかえれば、台車固定用部材２４１は、蝶番７を回動中心軸として、第１の位置から第２の位置に、または第２の位置から第１の位置に回動する。
【００７２】
図６に示す台車固定用部材２４１は、長方形状をなし、一対の長辺部のうちの一方の長辺部側で蝶番７と回動可能に連結する第１の板状部２４１ａと、第１の板状部２４１ａの他方の長辺部に、第１の板状部２４１ａに対して屈曲（または湾曲）するように立設した第２の板状部２４１ｂとで構成されている。
【００７３】
第１の板状部２４１ａは、その長手方向の長さが一対のレール部１、１が有する一対のガイド部１２、１２間の間隔よりも短く形成されており、台車固定用部材２４１を第１の位置において、長辺部の両端が各レール部１のスライド部１１の上面に当接して支持されるように構成されている。
【００７４】
また、第１の板状部２４１ａは、そのほぼ中央部に上端に開放する切欠き２４２が設けられており、第２の板状部２４１ｂは、第１の板状部２４１ａの切欠き２４２を介して、一対で設けられた板片で構成されている。これにより、後述するロック機構２５を構成するロックバー３６を用いて台車固定用部材２４１を第２の位置を保持（ロック）することができる。
【００７５】
また、第２の位置において、第１の板状部２４１ａは、台車３の搬出側の短辺部３１１ｂ端面に当接するとともに、第２の板状部２４１ｂは、台車３の搬出側の短辺部３１１ｂ上面側に位置するように構成されている。これにより、台車３の搬出側の短辺部３１１ｂが第１の板状部２４１ａおよび第２の板状部２４１ｂと係合し、台車３がレール部１に対して固定されて、台車３のレール部１に対する上下方向への移動が防止される。
【００７６】
このような第１の板状部２４１ａおよび第２の板状部２４１ｂは、それぞれ金属製の板材で構成されており、１つの板材を切削および折り曲げることにより一体的に形成される。
【００７７】
次に、この台車３がレール部１に対して固定された状態、すなわち、台車固定用部材２４１を第２の位置にした状態を保持（ロック）するロック機構２５について説明する。
【００７８】
図６に示すように、ロック機構２５は、台車３の本体部３１の搬出側の短辺部３１１ｂ端面のほぼ中央部に設けられたＬ字状のロックバー３６で構成されている。
【００７９】
このロックバー３６は、その基端部３６１が本体部３１の搬出側の短辺部３１１ｂ端面に設けられており、基端部３６１を回転中心として先端部３６２が回転可能に設けられている。
【００８０】
また、ロックバー３６は、その先端部３６２を鉛直上方に向けた状態で、台車固定用部材２４１を第１の位置から第２の位置に第１の板状部２４１ａの切欠き２４２を介して回動可能にする。
【００８１】
次に、台車固定機構２４およびロック機構２５による台車３のレール部１に対する上下方向の位置決めを行う手順について説明する。
【００８２】
まず、荷台１０１に設けられた台車固定用部材２４１を第１の位置にし、各レール部１の各ガイド部１２を台車３の本体部３１の各溝３１３に挿入した状態で、台車３をレール部１に対してスライドさせていく。その後、本体部３１の搬出側の短辺部３１１ｂの下方に突出する板片をスリット１２１に挿入する。これにより、台車３のレール部１に対する前後左右方向の位置決めが行われるとともに、レール部１に対する前後左右方向への移動が防止される。
【００８３】
その後、台車３の搬出側の短辺部３１１ｂ端面に設けられたロックバー３６の先端部３６２を鉛直上方に向けた状態で、台車固定用部材２４１を第２の位置にすることにより、台車３の本体部３１の搬出側の短辺部３１１ｂと台車固定用部材２４１とが係合し、台車３がレール部１に対して固定されて、台車３のレール部１に対する上下方向への移動が防止される。
【００８４】
この状態で、ロックバー３６の先端部３６２を鉛直下方に回動させることによって、図７に示すようにロックバー３６の先端部３６２が、第１の板状部２４１ａ（台車固定用部材２４１）の台車３の本体部３１の搬出側の短辺部３１１ｂとは反対側に位置する。これにより、台車固定用部材２４１の第２の位置から第１の位置への変位（回動）が防止されて、台車３がレール部１に対して固定された状態が保持されるとともに、台車３のレール部１に対する上下方向の位置決めが行われる。
【００８５】
入浴車１００は、上述したような台車位置決め手段２０（前後方向位置決め手段２１、左右方向位置決め手段２２および上下方向位置決め手段２３）によって、浴槽を移送する際（浴槽を積載した状態で移動する際）に、浴槽を確実に荷台１０１に固定することができる。
【００８６】
次に、台車の使用方法（作用）について説明する。
図８は、台車をレール部の後方にスライドさせて、台車を入浴車から搬出する状態を示す斜視図、図９は、図８の状態における分割した状態の分割浴槽および入浴タンカを固定した台車を、入浴車の斜め後方から見た図、図１０は、入浴車から分割浴槽および入浴タンカを固定した台車を搬出し、牽引する状態を説明するための図である。
【００８７】
訪問先において、まず、ロック機構２５を解除して（ロックバー３６の先端部３６２を鉛直上方に回転させて）、図６に示すように、台車固定用部材２４１を第２の位置から第１の位置にする。
【００８８】
次に、図９に示すように、台車固定用部材２４１を第１の位置の状態で、分割した状態の分割浴槽５および折り畳んだ状態の入浴タンカ４を固定した台車３をレール部１に沿って後方にスライドさせて、入浴車から搬出し、台車３の車輪３３が地面に接触する。
【００８９】
その際、図８に示すように、台車３の本体部３１の搬入側の短辺部３１１ｂが、台車固定用部材２４１の第２の板状部２４１ｂに係止する。これにより、台車３を入浴車１００から搬出する際に、介護従事者が誤って、台車３の本体部３１から手を離してしまった場合でも、台車３が地面に落下するのを防止することができ。その結果、分割浴槽５等が破損するのを防止することができる。
【００９０】
次に、台車３の本体部３１の取っ手３４を持って、台車３を牽引する。これにより、分割浴槽５および入浴タンカ４を移動することができる。このような台車３を用いることにより、介護従事者一人であっても、この作業を比較的容易かつ円滑に行うことができる。
【００９１】
なお、台車３を入浴車１００に搬入する際には、上記と反対の作業を行うようにすればよい。
【００９２】
特に、台車３を入浴車１００に搬入する際には、前記台車固定用部材２４１を第１の状態にして、台車３の本体部３１の搬入側の短辺部３１１ｂを、台車固定用部材２４１の第２の板状部２４１ｂに係止させた後、台車３を持ち上げてレール部１に沿ってスライドさせる。これにより、介護従事者一人であっても、容易に台車３を入浴車１００に搬入することができる。
【００９３】
また、台車３の本体部３１は、入浴車１００から台車３を搬出した際に、本体部３１を地面に対してほぼ垂直に立てた状態、または地面に対してほぼ水平に寝かせた状態で、台車３が移動するのを防止する移動防止手段３７を有している。
【００９４】
図１１は、台車の車輪近傍の拡大断面図（車輪を透視して示す）である。
台車３の本体部３１は、各長辺部３１１ａの搬出側の端面側面と対応する各車輪３３との間に、それぞれ、長辺部３１１ａと平行に設けられた第１の車輪ストッパ３７ａと、第１の車輪ストッパ３７ａとほぼ直交して設けられた第２の車輪ストッパ３７ｂとを有している。本実施形態において、移動防止手段３７は、一対の車輪３３にそれぞれ設けられた一対の第１の車輪ストッパ３７ａと、一対の第２の車輪ストッパ３７ｂとで構成されている。
【００９５】
図１１に示すように、各第１の車輪ストッパ３７ａは、各車輪３３の寸法よりも長く構成されている。そのため、一対の第１の車輪ストッパ３７ａは、台車３（本体部３１）をほぼ垂直に立てた状態で、一対の車輪３３が地面から離間し、台車３に固定された分割浴槽５の一部とともに前記台車３を支持する。これにより、台車３が移動するのを防止する。
【００９６】
また、各第２の車輪ストッパ３７ｂも、各車輪３３の寸法よりも長く構成されている。そのため、一対の第２の車輪ストッパ３７ｂは、台車３（本体部３１）をほぼ水平に寝かせた状態で、一対の車輪３３が地面から離間し、台車３（本体部３１）の一部とともに前記台車３を支持する。これにより、分割浴槽５および入浴タンカ４を積載した台車３が移動するのを防止する。
【００９７】
なお、台車３を運搬する際は、図１１中に示す車輪３３のＡの範囲で接地して台車３を牽引する。
【００９８】
また、分割浴槽５および入浴タンカ４を積載した台車３を入浴車１００から搬出する際に、台車３の分割浴槽５および入浴タンカ４はカバー（図示せず）で覆われていてもよい。また、このようなカバーは、訪問入浴サービスに用いる備品（例えば、浴槽にお湯を入れるためのホース等）を収納する収納部を有しているのが好ましい。これにより、分割浴槽５および入浴タンカ４とともに、サービスに必要な備品も一緒に運搬することができ、介護従事者の作業性がより向上する。さらに、このようなカバーは、分割浴槽５の分割された第１半割槽５１および第２半割槽５２と入浴タンカ４とを台車３に固定する浴槽固定手段を有しているのが好ましい。これにより、台車３を牽引する際に、台車３から分割浴槽５および入浴タンカ４が落下するのを確実に防止することができる。
【符号の説明】
【００９９】
１…レール部  １１…スライド部  １２…ガイド部  １２１…スリット  ２…支持体  ３…台車  ３１…本体部  ３１１…枠部  ３１１ａ…長辺部  ３１１ｂ…短辺部  ３１２…補強部  ３１３…溝  ３２…ローラ  ３３…車輪  ３４…取っ手  ３５…固定手段  ３５１…浴槽脚部用ストッパ  ３５２…ブロック状のストッパ  ３５３…ベルト  ３６…ロックバー  ３６１…基端部  ３６２…先端部  ３７…移動防止手段  ３７ａ…第１の車輪ストッパ  ３７ｂ…第２の車輪ストッパ  ４…入浴タンカ  ４１…タンカ本体部  ４２…折り畳み部  ４３…取っ手  ５…分割浴槽  ５１…第１半割槽  ５１１…当接面  ５２…第２半割槽  ５２１…当接面  ５３…連結機構  ５４…脚部  ５４ａ…第１の脚部  ５４ｂ…第２の脚部  ６…固定具  ７…蝶番（ヒンジ部）  １００…入浴車  １０１…荷台  ２０…台車位置決め手段  ２１…前後方向位置決め手段  ２２…左右方向位置決め手段  ２３…上下方向位置決め手段  ２４…台車固定機構  ２４１…台車固定用部材  ２４１ａ…第１の板状部  ２４１ｂ…第２の板状部  ２４２…切欠き  ２５…ロック機構
【図１】
0005453031.tif 000002
【図２】
0005453031.tif 000003
【図３】
0005453031.tif 000004
【図４】
0005453031.tif 000005
【図５】
0005453031.tif 000006
【図６】
0005453031.tif 000007
【図７】
0005453031.tif 000008
【図８】
0005453031.tif 000009
【図９】
0005453031.tif 000010
【図１０】
0005453031.tif 000011
【図１１】
0005453031.tif 000012